(57)【要約】【課題】光学ファインダーと電子ビューファインダーとを状況に応じて自動的に、かつ、適切に切り換えることができる撮像装置、ファインダーの切り換え方法を提供する。【解決手段】レリーズ操作に連動してＯＶＦからＥＶＦへ自動切り換え制御を行なうことによって、撮影者はファインダーを覗いたままの状態で、撮影前に記録画像の事前確認が可能となる。特にＯＶＦでは事前確認ができないようなカメラ設定がされたときに自動的にＥＶＦに切り換えわるので、撮影者は容易に記録画像の事前確認が可能となる。【選択図】図７
2010103790.tif 000002
【特許請求の範囲】
【請求項１】
撮像素子と、
前記撮像素子を介さずに光学的に被写体像を観察可能に表示する光学ファインダーと、
前記撮像素子を介して得た画像データにより被写体像を観察可能に表示する電子ビューファインダーと、
前記光学ファインダーと前記電子ビューファインダーとに共通で用いられる接眼手段と、
撮影を行うときに操作されるレリーズ操作手段と、
前記レリーズ操作手段の操作に連動して被写体像の表示を前記光学ファインダーから前記電子ビューファインダーへ切り換える制御手段と、
を備えることを特徴とする撮像装置。
【請求項２】
前記レリーズ操作手段は、第１のスイッチと、前記第１のスイッチの後に作動する第２のスイッチとの２段階のスイッチを有し、
前記制御手段は、
前記第１のスイッチが作動したことに応じて被写体像の表示を前記光学ファインダーから前記電子ビューファインダーへ切り換えるとともに自動焦点調節制御又は自動露出制御の少なくとも一方を行い、
前記第１のスイッチの作動が停止したことに応じて前記電子ビューファインダーから前記光学ファインダーへ切り換えを行い、
前記第２のスイッチに応じて撮影を行うこと、
を特徴とする請求項２に記載の撮像装置。
【請求項３】
前記レリーズ操作手段は、第１のスイッチと、前記第１のスイッチの後に作動する第２のスイッチとの２段階のスイッチを有し、
前記制御手段は、
前記第１のスイッチが作動したことに応じて被写体像の表示を前記光学ファインダーから前記電子ビューファインダーへ切り換えるとともに自動焦点調節制御又は自動露出制御の少なくとも一方を行い、
前記第２のスイッチに応じて撮影を行い、
前記第２のスイッチの作動が停止したことに応じて前記電子ビューファインダーから前記光学ファインダーへ切り換えを行うこと、
を特徴とする請求項１に記載の撮像装置。
【請求項４】
前記制御手段は、自動焦点調節制御又は自動露出制御を行っているときは、前記光学ファインダーを選択し、自動焦点調節制御又は自動露出制御が終了した後に前記光学ファインダーから前記電子ビューファインダーへ切り換えること、
を特徴とする請求項２又は請求項３に記載の撮像装置。
【請求項５】
前記制御手段は、自動焦点調節制御又は自動露出制御を行っているときは、前記電子ビューファインダーを選択し、自動焦点調節制御又は自動露出制御が終了した後に前記電子ビューファインダーから前記光学ファインダーへ切り換えること、
を特徴とする請求項２又は請求項３に記載の撮像装置。
【請求項６】
前記撮像素子により得られた画像に画像処理を行う画像処理手段と、
前記画像処理手段が行う画像処理を設定する設定手段と、
を備え、
前記制御手段は、前記設定手段が設定した画像処理が、予め設定された画像処理に該当するときに、前記レリーズ操作手段の操作に連動して被写体像の表示を前記光学ファインダーから前記電子ビューファインダーへ切り換えること、
を特徴とする請求項１から請求項５までのいずれか１項に記載の撮像装置。
【請求項７】
撮影者が前記接眼手段を利用して被写体像の観察を行っているか否かを検知する接眼検知手段を有し、
前記制御手段は、前記接眼手段を利用して被写体像の観察を行っていることを前記接眼検知手段が検知したとき、前記第１のスイッチが作動したことに応じて被写体像の表示を前記光学ファインダーから前記電子ビューファインダーへ切り換えること、
を特徴とする請求項２から請求項６までのいずれか１項に記載の撮像装置。
【請求項８】
前記電子ビューファインダーとは別に設けられた表示手段であって、前記撮像素子を介して得た画像データにより被写体像を観察可能に表示する外部表示手段と、
撮影者が前記接眼手段を利用して被写体像の観察を行っているか否かを検知する接眼検知手段を有し、
前記制御手段は、前記接眼手段を利用して被写体像の観察を行っていないことを前記接眼検知手段が検知したとき、前記光学ファインダーから前記電子ビューファインダーへの切り換えを行わずに、前記第１のスイッチが作動したことに応じて被写体像の表示を前記外部表示手段へ行うこと、
を特徴とする請求項２から請求項７までのいずれか１項に記載の撮像装置。
【請求項９】
前記制御手段は、前記光学ファインダーから前記電子ビューファインダーへ切り換えを行うよりも先に、前記電子ビューファインダーの駆動を開始させること、
を特徴とする請求項１から請求項８までのいずれか１項に記載の撮像装置。
【請求項１０】
前記光学ファインダーは、被写体像を拡大して観察可能にする光学ファインダー接眼光学系を有し、
前記電子ビューファインダーは、被写体像を表示する表示素子と、前記表示素子に表示される被写体像を拡大して観察可能にする電子ビューファインダー接眼光学系とを有し、
前記接眼手段は、撮影者が接眼する位置に固定された接眼光学部材を有し、
前記光学ファインダー接眼光学系及び前記電子ビューファインダー接眼光学系は、前記接眼光学部材を共通して用いており、
前記光学ファインダーと前記電子ビューファインダーとの切り換えは、前記接眼光学部材を移動することなく、前記接眼光学部材の光軸に直交する方向に前記接眼光学部材を除いた前記光学ファインダー接眼光学系及び前記電子ビューファインダー接眼光学系を移動させることにより行われること、
を特徴とする請求項１から請求項９までのいずれか１項に記載の撮像装置。
【請求項１１】
撮像素子と、
前記撮像素子を介さずに光学的に被写体像を観察可能に表示する光学ファインダーと、
前記撮像素子を介して得た画像データにより被写体像を観察可能に表示する電子ビューファインダーと、
撮影を行うときに操作されるレリーズ操作手段と、
を備えた撮像装置におけるファインダーの切り換え方法であって、
前記レリーズ操作手段の操作に連動して被写体像の表示を前記光学ファインダーから前記電子ビューファインダーへ切り換えること、
を特徴とするファインダーの切り換え方法。
【発明の詳細な説明】
【技術分野】
【０００１】
本発明は、光学ファインダーと電子ビューファインダーとを備える撮像装置、ファインダーの切り換え方法に関するものである。
【背景技術】
【０００２】
従来から、カメラのファインダーとして、光学ファインダー（ＯＶＦ）と電子ビューファインダー（ＥＶＦ）が知られている。ＯＶＦは、電力を消費することなく、被写体像を鮮明に表示することができる等、優れた特徴を有している。一方、ＥＶＦは、白黒モード、セピア調モード、色調や彩度の調整等、画像処理の結果を反映して表示を行えるという特徴を有している。
【０００３】
ＯＶＦとＥＶＦの切り換えが可能なファインダーを有するカメラにおいて、連続撮影中や動画撮影中にＯＶＦからＥＶＦに切り換える技術が特許文献１に開示されている。
【特許文献１】特開２００２−３００４３５号公報
【発明の開示】
【発明が解決しようとする課題】
【０００４】
しかし、特許文献１の制御方法では、設定された撮影モードにより、一義的にＯＶＦ又はＥＶＦが選択されてしまい、撮影者が望むタイミングでファインダーを選択できないという問題があった。
【０００５】
本発明の課題は、光学ファインダーと電子ビューファインダーとを状況に応じて自動的に、かつ、適切に切り換えることができる撮像装置、ファインダーの切り換え方法を提供することである。
【課題を解決するための手段】
【０００６】
本発明の第１の側面としての撮像装置は、撮像素子と、前記撮像素子を介さずに光学的に被写体像を観察可能に表示する光学ファインダーと、前記撮像素子を介して得た画像データにより被写体像を観察可能に表示する電子ビューファインダーと、撮影を行うときに操作されるレリーズ操作手段と、前記レリーズ操作手段の操作に連動して被写体像の表示を前記光学ファインダーから前記電子ビューファインダーへ切り換える制御手段とを備えることを特徴とする。
【０００７】
本発明の第２の側面としてのファインダーの切り換え方法は、撮像素子と、前記撮像素子を介さずに光学的に被写体像を観察可能に表示する光学ファインダーと、前記撮像素子を介して得た画像データにより被写体像を観察可能に表示する電子ビューファインダーと、撮影を行うときに操作されるレリーズ操作手段とを備えた撮像装置におけるファインダーの切り換え方法であって、前記レリーズ操作手段の操作に連動して被写体像の表示を前記光学ファインダーから前記電子ビューファインダーへ切り換えることを特徴とする。
【発明の効果】
【０００８】
本発明によれば、撮影者はファインダーを覗いたままの状態で、撮影前に記録画像の事前確認が可能となる。特にＯＶＦでは事前確認ができないようなカメラ設定（白黒やセピアに設定など）がされたときに自動的にＥＶＦに切り換えわるので、撮影者は容易に記録画像の事前確認が可能となる。
【発明を実施するための最良の形態】
【０００９】
以下、本発明を実施するための最良の形態について図面等を参照して説明する。
なお、以下に示す各図は、模式的に示した図であり、各部の大きさ、形状は、理解を容易にするために、適宜誇張して示している。
また、以下の説明では、具体的な数値、形状、動作等を示して説明を行うが、これらは、適宜変更することができる。
さらに、各図中には、各図の対応を明確にして理解を容易とするために、原点は特に規定せず、単に方向を示すための座標系として、カメラを正位置としたときの上方をＹプラス方向としてＸＹＺ直交座標を設けている。ここで、正位置とは、レンズ鏡筒１の撮影光学系の光軸（以下、単に光軸とする）が水平であり、かつ、撮影画面の長手方向が水平方向となるカメラの姿勢を示すものとする。以下、Ｙプラス方向を上、Ｚプラス方向（すなわち、光軸被写体方向）を前とする。
【００１０】
（第１実施形態）
図１は、本発明による撮像装置の第１実施形態を光学ファインダーで被写体を観察できるＯＶＦモードの状態で示す図である。
図２は、本発明による撮像装置の第１実施形態を撮影状態で示す図である。
本実施形態の撮像装置としてのカメラは、レンズ鏡筒１、カメラ本体２を備え、後述するように光学ファインダー（ＯＶＦ）と電子ビューファインダー（ＥＶＦ）とを切り換えることができる。
【００１１】
レンズ鏡筒１は、撮影レンズ１ａ，１ｂ，１ｃからなる撮影光学系が組み込まれた交換レンズであり、カメラ本体２に対して着脱自在に設けられている。
カメラ本体２は、レンズ鏡筒１が着脱可能なデジタル一眼レフカメラである。
カメラ本体２には、メインミラー３、ピント板４、ペンタプリズム５、接眼レンズ６，７，８、シャッター９、撮像素子１０が設けられている。
【００１２】
メインミラー３は、レンズ鏡筒１によって集光された被写体光束Ａ（光束の中心線のみを図示）をファインダーの方向へ導くためのメインミラーであり、略９０度に被写体光束Ａを折り曲げる。メインミラー３は、図中右上方に設けられた支点により支持されており、図１に示す状態（ＯＶＦモード）と図２に示す状態（撮影状態及びＥＶＦモード）との間で回転可能である。
【００１３】
ピント板４は、レンズ鏡筒１のピントが結像するようになっている。このピント板４で結像した被写体光束Ａは、ペンタプリズム５へ進む。
ペンタプリズム５は、ピント板４を介して進んできた被写体光束Ａを左右及び上下反転して接眼レンズ６へと進める。
【００１４】
接眼レンズ６，７，８は、ペンタプリズム５の後側（Ｚマイナス側）に設けられており、ピント板４に結像した被写体像を拡大して肉眼で観察できるようにする光学ファインダー接眼光学系である。これらメインミラー３、ピント板４、ペンタプリズム５、接眼レンズ６，７，８により光学的に被写体像を観察可能な光学ファインダー（ＯＶＦ）を形成している。
このＯＶＦは、高精度なレンズ鏡筒１により結像された被写体光束Ａを接眼レンズ６，７，８で拡大して観察できることより、非常に鮮明できれいな画像が得られる。
【００１５】
シャッター９は、メインミラー３と撮像素子１０との間に配置され、撮像素子１０へ到達する被写体光束Ａの通過と遮断とを制御する。
撮像素子１０は、光学像を電気信号に変換する光電変換手段である。本実施形態の撮像素子１０は、ＣＣＤ（Charge Coupled Device）イメージセンサを用いている。なお、撮像素子としては、ＣＭＯＳ（Complementary Metal Oxide Semiconductor）イメージセンサ等、他のタイプのイメージセンサでもよい。
【００１６】
図１に示す状態からレリーズボタン２１（図５参照）が押されると、メインミラー３がアップし、シャッター９が開放状態の図２に示す状態となる。この図２に示す撮影状態では、被写体光束Ａは、障害物がなくなったので、撮像素子１０へ届き撮像され、所定の画像処理が施され不図示の記憶媒体に記録される。
【００１７】
図３は、ＯＶＦモード時のファインダー周辺を示す斜視図である。
図４は、ＥＶＦモード時のファインダー周辺を示す斜視図である。
本実施形態の撮像装置は、先に説明したＯＶＦに用いるペンタプリズム５と接眼レンズ６，７，８の他に、ＥＶＦに用いる反射ミラー１１とＥＶＦレンズ１２，１３，１４と液晶表示器１５とを備えている。反射ミラー１１とＥＶＦレンズ１２，１３，１４と液晶表示器１５とは、Ｘプラス側からこの順番に並んで配置されている。
【００１８】
液晶表示器１５は、撮像素子１０により得られた被写体像を表示する表示素子であり、表示面がＹＺ平面に平行となるように配置されている。なお、反射ミラー１１により左右が反転して撮影者へ被写体像が到達するので、液晶表示器１５は、左右反転した被写体像を表示する。
【００１９】
ＥＶＦレンズ１２，１３，１４は、接眼レンズ８と組み合わせて用いられることにより、液晶表示器１５に表示された被写体像を拡大して肉眼で観察できるようにする電子ビューファインダー接眼光学系である。ＥＶＦレンズ１２，１３，１４は、ＯＶＦが用いている接眼レンズ６，７，８のうちの最終端、すなわち最も撮影者側に配置された接眼レンズ８と組み合わせて用いられることにより、液晶表示器１５を適正に拡大できるように設計されている。すなわち、接眼レンズ８は、接眼レンズ６，７，８からなる光学ファインダー接眼光学系と、ＥＶＦレンズ１２，１３，１４、及び、接眼レンズ８からなる電子ビューファインダー接眼光学系とに共通して用いられている接眼光学部材である。
反射ミラー１１は、液晶表示器１５からＥＶＦレンズ１４，１３，１２とＸ軸に沿った方向に進む被写体像の映像光を、Ｚ軸に沿った方向に偏向させる。
【００２０】
図３及び図４に示したファインダー関係の部材のうち、ペンタプリズム５及び接眼レンズ８は、カメラ本体２に対して固定されている。一方、これらを除いた接眼レンズ６，７と反射ミラー１１とＥＶＦレンズ１２，１３，１４と液晶表示器１５とは、不図示の可動部材に対して固定されて可動ファインダーユニットを形成している。この可動ファインダーユニットが接眼レンズ８の光軸に直交する方向、すなわちＸ軸に沿った方向に移動する。
【００２１】
具体的には、図３に示すＯＶＦモード時には、可動ファインダーユニットがＸマイナス側に移動しており、接眼レンズ６，７の光軸と接眼レンズ８の光軸とが一致する。これにより、メインミラー３により反射してピント板４に結像した被写体像が、ペンタプリズム５によって上下、左右の反転が行なわれ接眼レンズ６，７，８により拡大され撮影者の肉眼で観察される。
【００２２】
一方、図４に示すＥＶＦモード時には、可動ファインダーユニットがＸプラス側に移動して、接眼レンズ８の光軸上に反射ミラー１１が位置する。これにより、液晶表示器１５からＥＶＦレンズ１４，１３，１２とＸ軸に沿った方向に進み反射ミラー１１によりＺマイナス方向へ反射された被写体像の映像光が、接眼レンズ８を透って撮影者により観察可能となる。
【００２３】
このように、ＯＶＦからＥＶＦへ切り換えるには、接眼レンズ６，７を左（Ｘプラス側）へ移動させ、その空いたスペースへ反射ミラー１１とＥＶＦレンズ１２，１３，１４と液晶表示器１５が移動することとなり、スペースを有効に利用できる。なお、ＥＶＦからＯＶＦへの切り換えは、この逆の動作となる。
【００２４】
光学ファインダー接眼光学系及び電子ビューファインダー接眼光学系の最終面を持つ接眼レンズ８をＯＶＦとＥＶＦとで共有する理由は、接眼レンズ８は、他の外観カバーと同様にファインダー内へのごみの進入を防止する役目もあるためである。
仮に、ＯＶＦとＥＶＦとの切り換え時に最終面を持った接眼レンズも切り換えることにすると、必ず外観カバーと接眼レンズとの間に隙間ができてしまい、ごみ、埃などが侵入してファインダーの見え方を著しく悪くする。また、雨などの水滴も侵入することになり、カメラの制御系の故障を誘発するおそれがある。
よって、ＯＶＦとＥＶＦとの切り換えにおいて最終面を持った接眼レンズ８は、ＯＶＦとＥＶＦとの共有として構成するようになっている。なお、本実施形態では、接眼光学部材としての接眼レンズ８は、レンズとしてのパワーを持っている光学部材であるが、保護フィルターのようにレンズとしてのパワーを持たない光学部材としてもよい。
また、反射ミラー１１は、全反射ミラーとして構成できるので、ＥＶＦ表示も明るく観察できる。
【００２５】
ＯＶＦとＥＶＦとの切り換えにおいては、接眼レンズ６，７とＥＶＦレンズ１２，１３，１４と液晶表示器１５とをひとつのユニットとしてまとめてスライド移動で切り換える。よって、見え方に影響する接眼レンズの光軸ずれを最も少なくでき、切り換えスペースも最小にできる。
なお、ＯＶＦとＥＶＦとの切り換えを行う機構及び動力については、特に図示していない。しかし、スライド移動という最も単純な駆動なので、詳細な説明がなくても通常のモータやリニアアクチュエータ等を利用して容易に実現できることは言うまでもない。
【００２６】
図５は、第１実施形態のカメラの背面操作系を説明する外観図である。
接眼レンズ８のすぐ下に設置されているのは、撮影者がファインダーを覗き込んでいるかどうかを検知するための接眼検知部２０である。接眼検知部２０としては、例えば、フォトリフレクター等のセンサーを利用するとよい。
外部表示器１６は、接眼検知部２０の下にＥＶＦとは別に設けられた表示器である。撮影者がファインダーを覗き込んでいないときには、この外部表示器１６を駆動して表示を行い、ライブビュー等の表示を観察できる。
【００２７】
モードダイアル１７は、外部表示器１６に表示されたメニューを切り換え、モードセットボタン１８で決定することによりモード切り換えができるようになっている。
入／切スイッチ１９は、モードダイアル１７を利用するか否かの切り換えを行うときに操作される。
レリーズボタン２１は、押し込む量によって２段階のスイッチとして作用し、第１ストローク、第２ストロークを使って写真を撮影することに使うレリーズ操作手段である。レリーズボタン２１は、第１ストロークで第１のスイッチ（ＳＷ１）が作動し、これを受けたシステム制御部２５が自動焦点調節制御（ＡＦ）及び自動露出制御（ＡＥ）を実行させる。また、レリーズボタン２１は、第２ストロークで第２のスイッチ（ＳＷ２）が作動し、これを受けたシステム制御部２５が撮影を実行させる。
モードセレクトスイッチ２２は、その上面に示された選択マークを指標にあわせることで、任意の撮影モードを選択可能な構成になっている。
マルチコントローラ２３は、８方向キーと中央押しボタンとから構成されている。マルチコントローラ２３は、ＡＦフレーム選択、ホワイトバランス補正、再生時における拡大表示位置の移動等に用いられる。また、メニューの選択を行うこともできる。
【００２８】
図６は、第１実施形態における撮像装置のブロック図である。
撮像素子１０により撮像された被写体像の画像データは、画像処理部２４へ送られる。
画像処理部２４では、システム制御部２５からの指示に応じた画像処理を行う。例えば、通常のカラー画像の撮影では、色合いや彩度の調整、画像の鮮鋭度の調整、ホワイトバランス補正等を行う。また、白黒モード、セピア調モード等の設定が行われている場合には、その設定に適した画像処理を行う。
接眼検知部２０は、撮影者３０の接眼の有無を検出し、その結果をシステム制御部２５へ伝える。
ファインダー切り換えアクチュエータ２６は、システム制御部２５の指示にしたがい、ファインダー光路の切換を行う。
記録部２７は、撮影された画像データをメモリカードやハードディスク装置等に記録する。
なお、図６では、画像データ等は、システム制御部２５を介して液晶表示器１５や記録部２７へ送られるように示したが、これらは、システム制御部２５の指示に応じて直接各部へ送られるようにしてもよい。
【００２９】
本実施形態では、レリーズボタン２１が第１ストロークまで押されて第の１スイッチがＯＮ又はＯＦＦして作動すると、ライブビューの表示をどこに行うかを決定するために、接眼検知部２０により撮影者がファインダーを覗き込んでいるか否かを検出する。撮影者が、ファインダーを覗き込んでいれば、ファインダー内の表示器である液晶表示器１５を駆動させ、覗き込んでいなければ、外部表示器１６を駆動しておく。
次に、図２のように、ライブビューができるように撮像素子１０の前で遮光しているシャッター９を開き、撮像素子１０のライブビュー駆動を開始する。その次に、図２のように、レンズ鏡筒１からの被写体光束を撮像素子１０へ入射させるために、メインミラー３をアップする。
【００３０】
このメインミラー３をアップさせると、接眼レンズ６，７，８で観察できていた被写体光束Ａが見えなくなるが、これにより、ファインダー光路切り換え時、撮影者に違和感を与えないようにできる。すなわち、この後の動作として、ファインダー光路切り換えを図３から図４のように行なうときに、接眼レンズ６及び７だけを左方向へスライド移動することで、ファインダー光学系が偏芯する。このとき、被写体光束Ａが見える状態であると、被写体像が極端に歪んで見えてしまう。本実施形態では、メインミラー３をアップさせることにより、この現象を防止している。
【００３１】
もし、メインミラー３をアップしてファインダー像をブラックアウトせずに、ファインダー光路切り換えをおこなってしまうと、撮影者にはファインダー像が極端に歪んで見える。この場合、撮影者は、非常な違和感を覚えファインダーを見ていられなくなったり、場合によっては、立っていられないような目眩症状になったりするので危険である。
本実施形態のようにメインミラー３をアップしてファインダー像のブラックアウト後、図３から図４へとファインダー光路切り換えを行なうと、ファインダー光学系の極端な偏芯収差がブラックアウトのおかげで見えなくなり非常な違和感を覚えることがない。
【００３２】
さらに、ＯＶＦからＥＶＦへの切り換えにおいて図４の状態になるまでの見え方については、上述の接眼検知で説明したように液晶表示器１５はすでに起動されている。しかもメインミラー３がアップしており、シャッター９も開き、ライブビューも動作状態である。よって、反射ミラー１１が接眼レンズ８の視野範囲内までスライドした時点から図４のＥＶＦセット完了時までの間ずっと液晶表示器１５の表示する映像が見える。これにより、画面消失時間が最も短くすることができるシーケンス（後述の図６参照）で制御を行える。
【００３３】
ここで、図４のＥＶＦのセット完了までの見え方については、ＯＶＦのときの接眼レンズ６、及び７がスライド移動するときのような異常な偏芯収差はＥＶＦ光学系では発生しない。ＯＶＦのときの接眼レンズ６、及び７がスライド移動するときには、上述したように接眼レンズ６，７，８の光軸がずれるようにスライド移動する。これに対して、ＥＶＦの光学系では、反射ミラー１１によって光軸が略９０度折り曲げられていることで、接眼レンズ８とＥＶＦレンズ１２，１３，１４とは偏芯ではなく光軸方向に移動していることになる。よって、液晶表示器１５の見え方としては、ピント又は視度がずれて見えるのみであり、違和感としては少ないものとすることができる構成になっている。
液晶表示器１５の見え方として、ほとんどが蹴られているような見え方のときが最も視度がずれているが、ＥＶＦへの切り換えのスライド移動が進むと液晶表示器１５の蹴られが少なくなるとともに視度の狂いも少なくなってくる。そして、図４の状態では、液晶表示器１５の全体が見えるようになると、視度も所定のものにセットされるので、ボケは解消される。
【００３４】
図７は、第１実施形態の動作シーケンスを示すフローチャートである。
ステップ（以下、Ｓとする）１０１では、レリーズボタン２１の第１のスイッチ（ＳＷ１）の判定を行なう。Ｓ１０１で“ＯＮ”と判定されると、Ｓ１０２へ進み、“ＯＦＦ”と判定されると、Ｓ１０１の判定を繰り返す。
Ｓ１０２では、接眼検知部２０により撮影者がファインダーを覗き込んでいるか否か、すなわち接眼検知の有無を判定する。撮影者による覗き込みが“有”と判定すると、Ｓ１０３へ進み外部表示器１６を“ＯＦＦ”としてＳ１０４でＥＶＦ表示である液晶表示器１５を“ＯＮ”として動作させる。一方、Ｓ１０２で撮影者によるファインダーの覗き込みが“無”
と判定すると、Ｓ１０５に進んで外部表示器１６を“ＯＮ”させて駆動し、Ｓ１０６で不必要なＥＶＦを“ＯＦＦ”にする。
【００３５】
Ｓ１０７では、ライブビューを表示するために、シャッター９を開く。
Ｓ１０８では、ライブビューをスタートさせる。この段階では、まだ切り換わっていない液晶表示器１５に映像が表示されるがメインミラー３がアップしていないので、映像はブラックアウト状態である。
【００３６】
Ｓ１０９では、メインミラー３をアップさせることで、液晶表示器１５に被写体の映像が表示されるようになる。この状態でＯＶＦがブラックアウトされているのでＯＶＦの接眼レンズ６，７をスライド移動しても偏芯収差等の違和感を覚えることがなくなる。
Ｓ１１０では、ファインダー切り換えとしてＯＶＦの接眼レンズ６、７とともに、反射ミラー１１、ＥＶＦレンズ１２，１３，１４及び液晶表示器１５を最終の接眼レンズ８の光軸まで左方向（Ｘプラス方向）へスライド移動する。これによりＯＶＦからＥＶＦへの切り換えが完了する。
【００３７】
Ｓ１１１では、レリーズボタン２１の第２のスイッチ（ＳＷ２）の判定を行う。Ｓ１１１で“ＯＮ”と判定されると、Ｓ１１２へ進み、Ｓ１１２へ進み、写真を撮影する。Ｓ１１２で撮影された画像は、Ｓ１１３で所定の場所に保存され、Ｓ１１１へ戻る。Ｓ１１１で再び“ＯＮ”と判定されると、撮影（Ｓ１１２）、画像保存（Ｓ１１３）が行われＳ１１１へ戻る。
一方、Ｓ１１１で“ＯＦＦ”と判定された場合は、Ｓ１１４へ進み、Ｓ１１４でＳＷ１の判定を行なう。Ｓ１１４で“ＯＮ”と判定されると、Ｓ１１１に戻り、ＳＷ２の判定を行う。Ｓ１１４でＳＷ１の作動が停止して“ＯＦＦ”判定となるまで、上記シーケンスを繰り返すように設定してあり、Ｓ１１４で“ＯＦＦ”と判定された場合は、Ｓ１１５へ進む。
【００３８】
Ｓ１１５では、ファインダー光路をＥＶＦからＯＶＦへの切り換えのために、接眼レンズ６，７及びＥＶＦレンズ１２，１３，１４と反射ミラー１１、液晶表示器１５を右方向（Ｘマイナス方向）へスライド移動させる。
Ｓ１１６では、メインミラー３をダウンさせ、ＯＶＦの光路を確保してファインダーで被写体を観察できるようになる。
Ｓ１１７では、ライブビューをストップさせ、Ｓ１１８でシャッターを閉じシーケンスを終了する。
【００３９】
以上説明した第１実施形態によれば、ＳＷ１に連動してＯＶＦからＥＶＦへ自動切り換え制御を行なうので、撮影者は、ファインダーを覗いたままの状態で、撮影前に記録画像の事前確認が可能となる。また、接眼検知の有無によりライブビュー表示を行う表示手段をＥＶＦとするのか、外部表示器１６とするのかを切り換えることにより、さらに使い勝手を向上できる。
【００４０】
（第２実施形態）
図８は、第２実施形態のシーケンスを示すフローチャートである。
第１実施形態の動作は、違和感が少ない状態で最もファインダー消失期間が短縮できるシーケンスである。これに対して、第２実施形態では、ファインダーを覗いていて全く違和感を与えないようにする形態である。具体的には、前記の接眼検知をおこない液晶表示器１５を駆動するタイミングを図４のセット完了であるファインダー光路切り換え完了以後に駆動するようにし、ファインダー内がブラックアウトしている状態で見え方の悪い状態が終わるようにしている。
なお、前述した第１実施形態と同様の機能を果たす部分には、同一の符号を付して、重複する説明を適宜省略する。
【００４１】
Ｓ２０１では、レリーズボタン２１の第１のスイッチ（ＳＷ１）の判定を行なう。Ｓ１０１で“ＯＮ”と判定されると、Ｓ２０２へ進み、“ＯＦＦ”と判定されると、Ｓ２０１の判定を繰り返す。
Ｓ２０２では、シャッター９を開く。
Ｓ２０３では、ライブビューをスタートさせる。
Ｓ２０４では、メインミラー３をアップさせる。このとき、ＯＶＦファインダーでは、視野がブラックアウトされる。
Ｓ２０５では、ファインダー光路の切り換えのために接眼レンズ６及び７をスライド移動する。このとき、ＯＶＦファインダーでは、先のＳ２０４で視野がブラックアウトしているので、極端な収差のある視野を撮影者が見ることを防止している。
【００４２】
また、図３のＯＶＦから図４のＥＶＦへセットするときに、第１実施形態における図６のシーケンスでは、ファインダー光路の切り換え時に、ＥＶＦの液晶表示器１５がすでに駆動されていて、ファインダーの消失時間が最短となるようにしていた。これに対して、本実施形態では、Ｓ２０５のファインダー光路の切り換え時には、ＥＶＦの液晶表示器１５は、まだ駆動されていないので、図４のＥＶＦ状態になってもファインダーのブラックアウトは維持されている。よって、ＥＶＦレンズの１２，１３，１４と接眼レンズ８とのレンズ間隔がファインダー光路の切り換え途中では大きく離れていることで、ＥＶＦの液晶表示器１５の見え方は、非常にボケている状態になるものを見せなくしている。
【００４３】
Ｓ２０５でファインダー光路の切り換えが完了した後は、Ｓ２０６へ進み、ファインダーを撮影者が覗き込んでいるのかどうかを接眼検知部２０で判定する。撮影者がファインダーを覗いていれば“有”となりＳ２０７で外部表示器１６をＯＦＦする。次のＳ２０８でＥＶＦの液晶表示器１５を駆動させることで、上記のようなボケた液晶表示ではなく、全く違和感のないＥＶＦの見え方を確保することができるようになる。一方、Ｓ２０６で撮影者によるファインダーの覗き込みが“無”
と判定すると、Ｓ２０９に進んで外部表示器１６を“ＯＮ”させて駆動し、Ｓ２１０で不必要なＥＶＦを“ＯＦＦ”にする。
以上のシーケンスが第１実施形態における図６と異なる部分であり、以後のＳ２１１からＳ２１８は、第１実施形態における図６のＳ１１１からＳ１１８と同様であり、説明は省略する。
【００４４】
以上説明したように、第２実施形態によれば、ファインダー光路の切り換え後に、ＥＶＦの表示を行うので、ファインダー光路の切り換え時にファインダーを覗いていて全く違和感を与えないようにできる。
【００４５】
（第３実施形態）
図９は、第３実施形態のシーケンスを示すフローチャートである。
第３実施形態は、第２実施形態における図８のＳ２１１からＳ２１４部分の動作を変更した形態である。よって、前述した第２実施形態と同様の機能を果たす部分には、同一の符号を付して、重複する説明を適宜省略する。
Ｓ３０１からＳ３１０までは、第２実施形態における図８のＳ２０１からＳ２１０までと同じ動作を行う。
第２実施形態では、Ｓ２１４においてＳＷ１が“ＯＦＦ”判定となるまで、Ｓ２１１からＳ２１４のシーケンスを繰り返す設定となっていた。これに対して、第３実施形態では、図９に示すように、Ｓ３１１のＳＷ２の作動が停止して“ＯＦＦ”判定となった時点でＳ３１４以降の終了シーケンスへ移行する。
その後、Ｓ３１４からＳ３１７までは、第２実施形態における図８のＳ２１５からＳ２１８までと同じ動作を行う。
【００４６】
（第４実施形態）
図１０は、第４実施形態のシーケンスを示すフローチャートである。
第４実施形態は、第２実施形態と比較して、ライブビューへの移行条件を増やしたものであり、第２実施形態における図８のシーケンスと異なるところについて説明する。
なお、前述した第２実施形態と同様の機能を果たす部分には、同一の符号を付して、重複する説明を適宜省略する。
【００４７】
まず、Ｓ４０１でＳＷ１の検出を待機していて、ＳＷ１を検出すると判定が“ＯＮ”となりＳ４０２へ進む。
Ｓ４０２では、ＯＶＦで観察している画像と異なる画像、例えば、白黒やセピアなどの画像を記録するモードが選択されているか否かを判定する。具体的には、ＯＶＦで観察している画像と異なる画像を記録するモードとして判断する撮影モードを予め設定しておき、これらの予め設定された撮影モードに該当する撮影モードで撮影を行うように設定されている場合に、Ｓ４０２で“ＹＥＳ”の判定となる。
Ｓ４０２での判定結果が“ＮＯ”の場合は、Ｓ４２０以降へ進み、通常通りＯＶＦを使用した撮影シーケンスとなる。すなわち、Ｓ４２０でＳＷ２が“ＯＮ”であれば、撮影（Ｓ４２１）、画像保存（Ｓ４２２）と進み、再びＳＷ２待機となる。Ｓ４２０でＳＷ２が“ＯＦＦ”の場合は、撮影動作をせずにＳＷ１待機となる。
一方、Ｓ４０２で、ＯＶＦで観察している画像と異なる画像、例えば、白黒やセピアなどの画像を記録するモードが選択されていると判定（ＹＥＳ）された場合は、Ｓ４０３へ進み、シャッターを開き、Ｓ４０４でライブビューをスタートさせる。
Ｓ４０５以降の動作は、第２実施形態における図８のＳ２０４以降の動作と同じである。
【００４８】
第４実施形態によれば、ＯＶＦで観察している画像と異なる画像を記録するとき、すなわち、記録画像の事前確認が有効な状況であるときに、自動でＥＶＦに切り換わる。よって、撮影者はファインダーを覗いたままの状態で、撮影前に記録画像の事前確認が可能であり、画像処理後の結果を把握して撮影を行える。
【００４９】
（第５実施形態）
図１１は、第５実施形態のシーケンスを示すフローチャートである。
第５実施形態は、ＡＦやＡＥの速さが求められる場合に有効なシーケンスに改良した点が、第２実施形態と異なる。
なお、前述した第２実施形態と同様の機能を果たす部分には、同一の符号を付して、重複する説明を適宜省略する。
Ｓ５０１でのＳＷ１判定が“ＯＮ”となると、Ｓ５０２へ進む。
【００５０】
Ｓ５０２では、ＡＦ、ＡＥの完了判定が“ＹＥＳ”であれば、Ｓ５０３へ進み、シャッターを開き、Ｓ５０４でライブビューをスタートさせる。Ｓ５０２で、ＡＦ、ＡＥの完了判定が“ＮＯ”の場合には、Ｓ５０２の判定を繰り返す。
ここで、ＡＦ、ＡＥは、それぞれ不図示のＡＦ専用、ＡＥ専用のセンサーを用いてオートフォーカス、自動露出制御を行う。ＡＦ専用、ＡＥ専用のセンサーを用いることにより、撮像素子１０を用いてＡＦ及びＡＥを行う場合に比べてより高速なＡＦ処理及びＡＥ処理を行うことができる。
Ｓ５０３以降の動作は、第２実施形態の図８と同じである。
【００５１】
第５実施形態によれば、ＯＶＦからＥＶＦへの切り換え前にＡＦ、ＡＥ専用のセンサーを用いてオートフォーカス、自動露出制御を行うので、ＡＦやＡＥの速さを向上できる。
【００５２】
（変形形態）
以上説明した実施形態に限定されることなく、種々の変形や変更が可能であって、それらも本発明の範囲内である。
（１）各実施形態において、ＯＶＦとＥＶＦとの切り換えは、左右方向にスライドさせて行う例を示した。切り換え構造は、これに限らず、例えば、回転移動してもよい。また、全体を同時に移動せずに例えばミラーのみを移動したり回転したりする等、一部のみを駆動したり、別々に駆動したりして切り換える構造としてもよい。
【００５３】
（２）各実施形態において、ＯＶＦは、撮影レンズを介して得た被写体像を観察する例を挙げて説明したが、これに限らず、例えば、ＯＶＦ専用のファインダーレンズを有するＯＶＦであってもよい。
【００５４】
（３）第５実施形態において、ＡＦ、ＡＥを行うときにはＯＶＦを選択する例を示したが、これに限らず、例えば、ＡＦ、ＡＥを行うときにＥＶＦを選択し、ＡＦ、ＡＥが完了したらＯＶＦへ切り換えるようにしてもよい。
【００５５】
なお、第１実施形態〜第５実施形態及び変形形態は、適宜組み合わせて用いることもできるが、詳細な説明は省略する。また、本発明は以上説明した各実施形態によって限定されることはない。
【図面の簡単な説明】
【００５６】
【図１】本発明による撮像装置の第１実施形態を光学ファインダーで被写体を観察できるＯＶＦモードの状態で示す図である。
【図２】本発明による撮像装置の第１実施形態を撮影状態で示す図である。
【図３】ＯＶＦモード時のファインダー周辺を示す斜視図である。
【図４】ＥＶＦモード時のファインダー周辺を示す斜視図である。
【図５】第１実施形態のカメラの背面操作系を説明する外観図である。
【図６】第１実施形態における撮像装置のブロック図である。
【図７】第１実施形態の動作シーケンスを示すフローチャートである。
【図８】第２実施形態のシーケンスを示すフローチャートである。
【図９】第３実施形態のシーケンスを示すフローチャートである。
【図１０】第４実施形態のシーケンスを示すフローチャートである。
【図１１】第５実施形態のシーケンスを示すフローチャートである。
【符号の説明】
【００５７】
１  レンズ鏡筒
１a、１ｂ、１ｃ  撮影レンズ
２  カメラ本体
３  メインミラー
４  ピント板
５  ペンタプリズム
６，７，８  接眼レンズ
９  シャッター
１０  撮像素子
１１  反射ミラー
１２，１３，１４  ＥＶＦレンズ
１５  液晶表示器
１６  外部表示器
１７  モードダイアル
１８  モードセットボタン
１９  モードダイアル入／切スイッチ
２０  接眼検知器
２１  レリーズボタン
２２  モードセレクトスイッチ
２３  マルチコントローラ
【図１】
2010103790.tif 000003
【図２】
2010103790.tif 000004
【図３】
2010103790.tif 000005
【図４】
2010103790.tif 000006
【図５】
2010103790.tif 000007
【図６】
2010103790.tif 000008
【図７】
2010103790.tif 000009
【図８】
2010103790.tif 000010
【図９】
2010103790.tif 000011
【図１０】
2010103790.tif 000012
【図１１】
2010103790.tif 000013